(57)【特許請求の範囲】
【請求項１】
モバイル端末を保護し周辺機器を接続するための保護ケースであって、
前記保護ケースは、
前記モバイル端末のへりを囲むことが可能なケース本体であって、前記ケース本体は開口および複数の端子収容穴を有し、前記開口は前記モバイル端末の通信インターフェース部分に対応する、ケース本体と、
前記周辺機器と通信するように構成された複数の通信端子であって、各通信端子は対応する端子収容穴に埋め込まれている、複数の通信端子と、
前記ケース本体内に配置された内部ワイヤであって、前記内部ワイヤの一端は前記通信端子に電気的に接続されている、内部ワイヤと、
フレキシブルデータケーブルであって、前記フレキシブルデータケーブルの一端は前記ケース本体に接続され、かつ前記内部ワイヤの他端は前記フレキシブルデータケーブルに電気的に接続されている、フレキシブルデータケーブルと、
前記フレキシブルデータケーブルの他端に接続されたフレキシブルコネクタであって、前記フレキシブルコネクタは前記開口に差し込んで前記通信インターフェース部分に接続することができる、フレキシブルコネクタと、を備え、
前記ケース本体は箱型であり、端と端とが接続された第１のフレームバー、第２のフレームバー、第３のフレームバーおよび第４のフレームバーを含み、前記第１のフレームバーは前記第３のフレームバーに対向し、前記第２のフレームバーは前記第４のフレームバーに対向し、前記開口および前記複数の端子収容穴は前記第１のフレームバーに配置され、
前記フレキシブルコネクタは前記通信インターフェース部分に接続され、前記フレキシブルデータケーブルは前記第１のフレームバーに埋め込まれている、
保護ケース。
【請求項２】
前記第２のフレームバーおよび／または前記第４のフレームバーには前記モバイル端末のファンクションキーと嵌合する押下キーが設けられている、請求項１に記載の保護ケース。
【請求項３】
前記ケース本体はさらに、
前記ケース本体の一方の側に固定して接続された第１のスナップ取付け式（以下、スナップインと称す）部分であって、前記第１のスナップイン部分は前記モバイル端末の正面を係合するように構成された、第１のスナップイン部分と、
前記ケース本体の他方の側に固定して接続された第２のスナップイン部分であって、前記第２のスナップイン部分は前記モバイル端末の背面を係合するように構成された、第２のスナップイン部分と、を含む、請求項１に記載の保護ケース。
【請求項４】
前記ケース本体はさらに、前記第２のスナップイン部分に固定して接続された接続部分を含み、前記接続部分は前記周辺機器に着脱自在に接続されている、請求項３に記載の保護ケース。
【請求項５】
前記第１のスナップイン部分および前記第２のスナップイン部分はいずれも環状であり、かつ、前記第１のスナップイン部分および前記第２のスナップイン部分の間に前記モバイル端末の前記へりを係合する環状溝が形成されている、請求項３に記載の保護ケース。
【請求項６】
前記ケース本体は一体射出成型構造である、請求項３に記載の保護ケース。
【請求項７】
前記ケース本体はフレキシブル構造であり、前記通信端子は金属ポストであり、前記金属ポストの一端は前記周辺機器のドッキング端子に衝合するように構成され、前記金属ポストの他端は前記内部ワイヤに接続され、また、
前記フレキシブルコネクタは、フレキシブルな本体と前記フレキシブルな本体の内側および／または外側に配置されたメタルシートとを含み、前記フレキシブルデータケーブルはメタルワイヤと前記メタルワイヤの周りに巻きつけられたシースとを含み、前記メタルワイヤの両端はそれぞれ前記内部ワイヤおよび前記メタルシートに接続され、且つ、前記シースの両端はそれぞれ前記ケース本体および前記フレキシブルな本体に接続されている、請求項１に記載の保護ケース。
【請求項８】
モバイル端末を取り付けるためのモバイル端末周辺機器アセンブリであって、前記モバイル端末周辺機器アセンブリは、
請求項１に記載の保護ケースと、
装置本体と前記装置本体に配置された複数のドッキング端子とを含む周辺機器であって、
前記複数のドッキング端子は電気的にかつ通信可能に複数の通信端子に一対一対応で接続されている周辺機器と、を含む、モバイル端末周辺機器アセンブリ。
【請求項９】
前記周辺機器は、モバイル電源、オーディオデバイス、プロジェクタまたはビデオカメラである、請求項８に記載のモバイル端末周辺機器アセンブリ。
【請求項１０】
前記第２のフレームバーおよび／または前記第４のフレームバーには前記モバイル端末のファンクションキーと嵌合する押下キーが設けられている、請求項８に記載のモバイル端末周辺機器アセンブリ。
【請求項１１】
前記ケース本体はさらに、第１のスナップイン部分と第２のスナップイン部分とを含み、
前記第１のスナップイン部分は前記ケース本体の一方の側に固定して接続され、前記第１のスナップイン部分は前記モバイル端末の正面を係合するように構成され、また、
前記第２のスナップイン部分は前記ケース本体の他方の側に固定して接続され、前記第２のスナップイン部分は前記モバイル端末の背面を係合するように構成されている、請求項８に記載のモバイル端末周辺機器アセンブリ。
【請求項１２】
前記ケース本体は前記第２のスナップイン部分に固定して接続された接続部分をさらに含み、前記接続部分は前記周辺機器に着脱自在に接続されている、請求項１１に記載のモバイル端末周辺機器アセンブリ。
【請求項１３】
前記第１のスナップイン部分および前記第２のスナップイン部分はいずれも環状であり、かつ前記第１のスナップイン部分および前記第２のスナップイン部分の間に前記モバイル端末のへりを係合する環状溝が形成される、請求項１１に記載のモバイル端末周辺機器アセンブリ。
【請求項１４】
前記ケース本体は一体射出成型構造である、請求項１１に記載の保護ケース。
【請求項１５】
前記ケース本体はフレキシブル構造であり、前記通信端子は金属ポストであり、前記金属ポストの一端は前記周辺機器のドッキング端子に衝合するように構成され、前記金属ポストの他端は前記内部ワイヤに接続され、また、
前記フレキシブルコネクタはフレキシブルな本体と前記フレキシブルな本体の内側および／または外側に配置されたメタルシートとを含み、フレキシブルデータケーブルはメタルワイヤと前記メタルワイヤの周りに巻きつけられたシースとを含み、前記メタルワイヤの両端はそれぞれ前記内部ワイヤと前記メタルシートとに接続され、かつ前記シースの両端は前記ケース本体および前記フレキシブルな本体にそれぞれ接続されている、請求項８に記載のモバイル端末周辺機器アセンブリ。
【発明の詳細な説明】
【技術分野】
【０００１】
本願発明は、通信装置の技術分野に関し、特に、モバイル端末周辺機器アセンブリおよびモバイル端末保護ケースに関する。
【背景技術】
【０００２】
携帯電話機の連続的な発展に伴い、携帯電話機の使用方法はより多角化している。携帯電話機は、より豊富な機能を実現するために、しばしば外部プロジェクタ、オーディオデバイス等の周辺機器と相互に接続する必要がある。
【０００３】
携帯電話機および周辺機器は通信を確立する必要があり、かつ従来の方法は、データ配線接続を介するものである。しかしながら、従来のデータ配線接続方法は操作上不便である。
【発明の概要】
【発明が解決しようとする課題】
【０００４】
従って、周辺機器およびそのモバイル端末保護ケースに便利なように接続されたモバイル端末周辺機器アセンブリを提供する必要がある。
【課題を解決するための手段】
【０００５】
モバイル端末保護ケースは、モバイル端末を保護するためおよび周辺機器を接続するために提供され、保護ケースは以下を含む。
【０００６】
モバイル端末のへりを囲むことが可能なケース本体であって、ケース本体は開口部と複数の端子収容穴とを有する。モバイル端末の通信インターフェース部分に対応する開口部
【０００７】
周辺機器と通信するように構成された複数の通信端子であって、各通信端子は対応する端子収容穴に埋め込まれている。
【０００８】
ケース本体内に配置された内部ワイヤであって、内部ワイヤの一端は通信端子と電気的に接続されている
【０００９】
フレキシブルデータケーブルであって、フレキシブルデータケーブルの一端はケース本体に接続され、かつ、内部ワイヤの他端はフレキシブルデータケーブルに電気的に接続されている。
【００１０】
フレキシブルデータケーブルの他端に接続されたフレキシブルコネクタであって、フレキシブルコネクタは開口に差し込むことができ、通信インターフェース部分に接続できる。
【００１１】
モバイル端末周辺機器アセンブリは、モバイル端末に取付けるために備わっている。モバイル端末周辺機器アセンブリは以下を含む
【００１２】
保護ケースおよび
【００１３】
周辺機器、周辺機器はデバイス本体およびデバイス本体に配置されたドッキング端子を含み、ドッキング端子の個数は複数であり、複数のドッキング端子は電気的にかつ通信可能に一対一対応で複数の通信端子に接続されている。
【発明の効果】
【００１４】
モバイル端末周辺機器アセンブリおよびモバイル端末保護ケースにおいて、保護ケースはモバイル端末に装着されている。通信端子、内部ワイヤ、フレキシブルデータケーブルおよびフレキシブルコネクタが通信回路を形成できるように、フレキシブルコネクタがモバイル端末の通信インターフェース部分に差し込まれる。周辺機器を接続することが要求されるとき、通信端子は周辺機器のドッキング端子に直接係合され、その結果、周辺機器とモバイル端末との間の通信が実現できるとともに、操作が便利になる。ケース本体がモバイル端末のへりを囲むので、衝突や落下の間、モバイル端末を保護できる。通信インターフェース部分にはめ込まれたフレキシブルコネクタは、通信インターフェース部分にちりが侵入するのを防ぐための栓部材としての機能を果たすことができ、それによって、モバイル端末をさらに保護できる。フレキシブルデータケーブルおよびフレキシブルコネクタは共にフレキシブル構造であるため、モバイル端末との長期間の接続後にも容易に損傷されない。一方、保護ケースの全体構造は単純かつ軽量であるため、保護ケースは頻繁に取り外すことなくモバイル端末を保護するためにモバイル端末に常に装着できる。周辺機器を接続することが要求されるときに、保護ケースは直接かつ便利に接続できる。
【図面の簡単な説明】
【００１５】
本願発明の実施例または従来技術における解決法をより明確に示すために、実施例または従来技術の記載において使用することが要求される図面が以下に手短に説明される。明らかに、以下の説明における図面は、単に本願発明のいくつかの実施例であり、当業者にとって他の実施例の図面はいかなる創作的努力なしにこれらの図面からも得られる。
【００１６】
【図１】図１は、実施例のモバイル端末周辺機器アセンブリの正面図である。
【００１７】
【図２】図２は、図１に示されたモバイル端末周辺機器アセンブリの保護ケースの背面図である。
【００１８】
【図３】図３は、図１に示されたモバイル端末周辺機器アセンブリの保護ケースの右側面図である。
【００１９】
【図４】図４は、図１に示されたモバイル端末周辺機器アセンブリの保護ケースの底面図である。
【００２０】
【図５】図５は、図１に示されたモバイル端末周辺機器アセンブリのモバイル電源の正面図である。
【００２１】
【図６】図６は、図１に示されたモバイル端末周辺機器アセンブリのオーディオデバイスの正面図である。
【００２２】
【図７】図７は、図１に示されたモバイル端末周辺機器アセンブリのプロジェクタの正面図である。
【発明を実施するための形態】
【００２３】
本願発明の理解を促すために、モバイル端末周辺機器アセンブリおよびモバイル端末保護ケースは、対応する図面を参照して以下により詳細に説明される。モバイル端末周辺機器アセンブリおよびモバイル端末保護ケースの好ましい実施例は、図において示されている。しかしながら、モバイル端末周辺機器アセンブリおよびモバイル端末保護ケースは、多くの異なる形状で実現でき、本明細書に記載された実施例に限られない。これに対し、これらの実施例を提供する目的は、モバイル端末周辺機器アセンブリおよびモバイル端末保護ケースの開示内容をより徹底的にかつ包括的にすることである。
【００２４】
特に定義しない限り、本明細書で使用されたすべての科学的および技術的用語は、本願発明の当業者により一般的に理解されるように同じ意味を持つ。モバイル端末周辺機器アセンブリおよびモバイル端末保護ケースの明細書においてここに使用された用語は、特定の実施例を記載する目的のためであり、開示を制限することは意図していない。ここで使用されたように、用語「および／または」は１つ以上の関連するリストアップされた用語の任意のおよび全ての組合せを含む。
【００２５】
図１および図２に示されたように、一実施例によるモバイル端末周辺機器アセンブリ１０はモバイル端末保護ケース１００および周辺機器２００を含む。周辺機器アセンブリ１０はモバイル端末に取り付けできてモバイル端末の機能を拡張したりモバイル端末を充電したりする。モバイル端末は携帯電話機やタブレットコンピュータなどのモバイル通信デバイスであり得る。図示された実施例において、モバイル端末は携帯電話機である。
【００２６】
特に、モバイル端末保護ケース１００は、モバイル端末を保護し周辺機器２００を接続するために使用される。保護ケース１００は、ケース本体１２０、通信端子１４０、内部ワイヤ、フレキシブルデータケーブル１６０およびフレキシブルコネクタ１８０を含む。ケース本体１２０はモバイル端末のへりを囲むことができ、複数の端子収容穴及び開口を備えている。開口はモバイル端末の通信インターフェース部分に対応する。
【００２７】
特に、１つの実施例において、ケース本体１２０はボックス形状であり、第１のフレームバー１２２、第２のフレームバー１２４、第３のフレームバー１２６および第４のフレームバー１２８を含み、これらは端と端とが接続されている。第１のフレームバー１２２は第３のフレームバー１２６と対向して配置され、第２のフレームバー１２４は第４のフレームバー１２８と対向して配置されている。また、図１および図３を参照して、さらに１つの実施例において、開口と複数の端子収容穴が第１のフレームバー１２２に配置できる。第２のフレームバー１２４および第４のフレームバー１２８はモバイル端末のファンクションキーと嵌合された押圧キー１２９を備える。他の実施例において、押圧キー１２９は異なるモバイル端末のファンクションキーの異なる位置に依存して第２のフレームバー１２４または第４のフレームバー１２８にのみ備わる。
【００２８】
複数の通信端子１４０は周辺機器２００と通信するために使用される。複数の通信端子１４０は、複数の端子収容穴に一対一対応で埋め込まれている。内部ワイヤはケース本体１２０の内側に巻き付けられ、内部ワイヤの一端は通信端子１４０に電気的に接続されている。図４を参照すれば、フレキシブルデータケーブル１６０の一端はケース本体１２０に接続され、内部ワイヤの他端はフレキシブルデータケーブル１６０に電気的に接続されている。フレキシブルコネクタ１８０はフレキシブルデータケーブル１６０の他端に接続されており、かつフレキシブルコネクタ１８０は開口に差し込むことができ、かつ通信インターフェース部分に接続されている。
【００２９】
図５−７を参照すれば、周辺機器２００はモバイル電源２２０、オーディオデバイス２４０、プロジェクタ２６０またはビデオカメラであり、モバイル端末のサウンドイフェクト機能、プロジェクション機能、およびカメラ機能を適切に拡張できる。周辺機器２００はデバイス本体２２２、２４２、２６２およびデバイス本体に配置された複数のドッキング端子２２４、２４４、２６４を含む。複数のドッキング端子２２４、２４４、２６４は複数の通信端子１４０に電気的にかつ通信可能に一対一対応で接続される。ドッキング端子２２４、２４４、２６４は金属ポストであり得て、ドッキング端子２２４、２４４、２６４の一端はデバイス本体２２２、２４２、２６２の内部回路に電気的に接続され、ドッキング端子２２４、２４４、２６４の他端は通信端子１４０で衝合でき、それによって周辺機器２００およびモバイル端末間の電気的接続と通信が実現される。
【００３０】
保護ケース１００はモバイル端子に装着されている。通信端子１４０、内部ワイヤ、フレキシブルデータケーブル１６０およびフレキシブルコネクタ１８０が通信回路を形成できるように、フレキシブルコネクタ１８０がモバイル端末の通信インターフェース部分にはめ込まれる。周辺機器２００の接続が要求されるとき、通信端子１４０が周辺機器２００のドッキング端子２２４,２４４,２６４に直接係合され、その結果、周辺機器２００およびモバイル端末間の通信が実現でき、操作が便利になる。ケース本体１２０がモバイル端末のへりを囲むので、衝突や落下の間モバイル端末を保護できる。通信インターフェース部分に差し込まれたフレキシブルコネクタ１８０はちりが通信インターフェース部分に侵入するのを防ぐ栓部材としての役目を果たすことができ、それによってモバイル端末をさらに保護する。フレキシブルデータケーブル１６０およびフレキシブルコネクタ１８０はともにフレキシブルな構造であるので、モバイル端末との長期の接続後に容易に損傷されない。一方、保護ケースの全体構造が簡単で軽量であるため、保護ケース１００は頻繁に移動せずにモバイル端末に常に装着できて、モバイル端末を保護する。周辺機器の接続が要求されるとき、保護ケースは直接かつ便利に接続できる。
【００３１】
さらに、一実施例において、ケース本体１２０は、処理に便利な一体射出成型構造であり得て、より好適な構造的強度を有していて容易に損傷されない。ケース本体１２０の材料はプラスチック、シリカゲル等であり得る。保護ケース１００の耐用年数を改善するために、一実施例において、ケース本体１２０はフレキシブル構造であり得る。フレキシブルケース本体１２０はフレキシブルデータケーブル１６０およびフレキシブルコネクタ１８０と協同して全体構造がフレキシブルになる。仮にモバイル端末に長期間装着されるかバッグまたはポケット内で運搬されたとしても、保護ケース１００は容易に損傷されない。
【００３２】
一実施例において、通信端子１４０は金属ポストであり得る。金属ポストの一端は周辺機器のドッキング端子２２４、２４４、２６４に衝合するのに使用され、かつ金属ポストの他端は内部ワイヤに接続される。フレキシブルコネクタ１８０はフレキシブル本体とフレキシブル本体の内側および／または外側に配置されたメタルシートを含む。フレキシブルデータケーブル１６０はメタルワイヤおよびメタルワイヤの周りに巻き付けられたシースを含む。メタルワイヤの両端は、それぞれ内部ワイヤおよびメタルシートに接続され、シースの両端はそれぞれケース本体およびフレキシブル本体にそれぞれ接続される。
【００３３】
一実施例において、ケース本体１２０は第１のスナップ取付け式（以下、スナップインと称す）部分および第２のスナップイン部分をさらに含む。第１のスナップイン部分はケース本体１２０の一方の側に固定して接続され、モバイル端末の正面に係合するのに使用される。第２のスナップイン部分はケース本体１２０の他方の側に固定して接続され、モバイル端末の背面に係合するのに使用される。第１のスナップイン部分および第２のスナップイン部分はそれぞれモバイル端末の正面側および背面側に配置され、それによってケース本体１２０のモバイル端末を係合する。特に、一実施例において、第１のスナップイン部分および第２のスナップイン部分は共に環状であり、環状溝は第１のスナップイン部分および第２のスナップイン部分の間に形成されて、モバイル端末のへりと係合する。他の実施例において、ケース本体１２０およびモバイル端末は磁気的接続、接着的接続等の他の手段により接続できる。
【００３４】
一実施例において、ケース本体１２０は第２のスナップイン部分に固定して接続された接続部分をさらに含む。接続部分は、周辺機器２００に着脱自在に接続でき、それゆえ周辺機器２００および保護ケース１００の間のより安全な接続が可能となり、かつ、通信端子１４０およびドッキング端子２２４,２４４,２６４間の整列を促し、それによって、モバイル端末および周辺機器２００間の通信の信頼性を確保する。
【００３５】
上述の実施例の様々な技術的特徴は任意に結合でき、簡潔に説明するために、上述の実施例における様々な技術的特徴のすべての可能な組合せは記述されていない。しかしながら、これらの技術的特徴の組合せにおいて、矛盾が存在しない限り、本明細書の範囲内であると見なすべきである。
【００３６】
上述の実施例は、明細書のいくつかの実施例のみを表す。実施例の記述は、より明確で詳細であるが、それ故開示された特許の範囲に限定されるとして解釈されるべきではない。いくつかの変形および改良は本願発明のコンセプトから離れることなく当業者がなし得ることに留意すべきであり、全ての変形および改良は開示の範囲に含まれる。従って、開示された特許の保護の範囲は添付された請求項に依存する。
【図１】
0006842573.tif 000002
【図２】
0006842573.tif 000003
【図３】
0006842573.tif 000004
【図４】
0006842573.tif 000005
【図５】
0006842573.tif 000006
【図６】
0006842573.tif 000007
【図７】
0006842573.tif 000008